(57)【要約】【課題】燃料電池が停止した後の余電力を有効に活用することができ、エネルギー効率の高い燃料電池システムを提供する。【解決手段】本発明に係る燃料電池システム１は、燃料ガスと酸化剤ガスを反応させて発電を行う燃料電池２と、この燃料電池を収納する燃料電池ケース３と、この燃料電池ケース３の内部を換気する換気ファン１８と、燃料電池２に接続されたリレー５ａ、５ｂを有するジャンクションボックス５と、を備え、燃料電池２が停止して、ジャンクションボックス５のリレー５ａ、５ｂが切断された後に、燃料電池２に残った燃料ガスおよび酸化剤ガスで発電された電力によって、換気ファン１８を駆動して燃料電池ケース３の内部を換気することを特徴とするものである。【選択図】図１
2008066106.tif 000002
【特許請求の範囲】
【請求項１】
燃料ガスと酸化剤ガスを反応させて発電を行う燃料電池と、
この燃料電池を収納する燃料電池ケースと、
この燃料電池ケースの内部を換気する換気ファンと、
前記燃料電池に接続されたリレーを有するジャンクションボックスと、
を備え、
前記燃料電池が停止して、前記ジャンクションボックスのリレーが切断された後に、前記燃料電池に残った前記燃料ガスおよび前記酸化剤ガスで発電された電力によって、前記換気ファンを駆動して前記燃料電池ケースの内部を換気することを特徴とする燃料電池システム。
【請求項２】
前記換気ファンは、前記燃料電池と前記ジャンクションボックスのリレーとの間に接続されていることを特徴とする請求項１に記載の燃料電池システム。
【請求項３】
前記換気ファンを複数備え、この複数の換気ファンを直列に接続することを特徴とする請求項２に記載の燃料電池システム。
【請求項４】
前記ジャンクションボックスのリレーに接続されたコンバータと、
前記燃料電池と前記換気ファンを接続するバイパス回路と、
このバイパス回路の途中に設けられたリレーと、
を備え、
前記コンバータと前記換気ファンは接続されており、前記燃料電池の運転中は、前記コンバータを経由して前記換気ファンに電力が供給され、前記燃料電池が停止して、前記ジャンクションボックスのリレーが切断された後は、前記バイパス回路の途中に設けられたリレーを切り換えることにより、前記バイパス回路を経由して前記換気ファンに電力が供給されることを特徴とする請求項１に記載の燃料電池システム。
【請求項５】
前記換気ファンを複数備え、この複数の換気ファンを直列に接続することを特徴とする請求項４に記載の燃料電池システム。
【請求項６】
前記ジャンクションボックスのリレーに接続されたコンバータと、
前記コンバータに接続されたＤＣ／ＤＣコンバータと、
前記燃料電池と前記ＤＣ／ＤＣコンバータを接続するバイパス回路と、
このバイパス回路の途中に設けられたリレーと、
を備え、
前記ＤＣ／ＤＣコンバータと前記換気ファンは接続されており、前記燃料電池の運転中は、前記コンバータおよび前記ＤＣ／ＤＣコンバータを経由して前記換気ファンに電力が供給され、前記燃料電池が停止して、前記ジャンクションボックスのリレーが切断された後は、前記バイパス回路の途中に設けられたリレーを切り換えることにより、前記バイパス回路および前記ＤＣ／ＤＣコンバータを経由して前記換気ファンに電力が供給されることを特徴とする請求項１に記載の燃料電池システム。
【請求項７】
前記バイパス回路は放電抵抗を有し、前記放電抵抗は前記換気ファンとともに放電を行うことを特徴とする請求項６に記載の燃料電池システム。
【請求項８】
前記ジャンクションボックスのリレーに接続されたコンバータと、
前記コンバータに接続されたインバータと、
前記燃料電池と前記インバータを接続するバイパス回路と、
このバイパス回路の途中に設けられたリレーと、
を備え、
前記インバータと前記換気ファンは接続されており、前記燃料電池の運転中は、前記コンバータおよび前記インバータを経由して前記換気ファンに電力が供給され、前記燃料電池が停止して、前記ジャンクションボックスのリレーが切断された後は、前記バイパス回路の途中に設けられたリレーを切り換えることにより、前記バイパス回路および前記インバータを経由して前記換気ファンに電力が供給されることを特徴とする請求項１に記載の燃料電池システム。
【請求項９】
前記バイパス回路は放電抵抗を有し、前記放電抵抗は前記換気ファンとともに放電を行うことを特徴とする請求項８に記載の燃料電池システム。
【発明の詳細な説明】
【技術分野】
【０００１】
本発明は、燃料電池システムに関し、特に燃料電池が停止した後の余電力を有効に活用することのできる燃料電池システムに関する。
【背景技術】
【０００２】
燃料電池は白金等の触媒を有する燃料極と酸化剤極によって電解質膜を挟み、燃料極に燃料ガス、酸化剤極に酸化剤ガスを供給することによって発電を行う。例えば自動車用途においては電解質膜として、一般的には水素イオン導電性を有する固体高分子電解質膜を利用する場合が多い。また、燃料ガスとして水素、酸化剤ガスとして空気を燃料電池に供給すると、以下のような反応が起こる。
【０００３】
燃料極：２Ｈ2 → ４Ｈ+ ＋ ４ｅ-    ・・・式（１）
酸化剤極：Ｏ2 ＋ ４Ｈ+ ＋ ４ｅ- → ２Ｈ2Ｏ    ・・・式（２）
したがって燃料電池は副生成物として水しか排出しないため、内燃機関のような二酸化炭素など地球環境に対するダメージを与える物質を放出しないといった利点がある。
【０００４】
このような燃料電池では、運転を停止した後に感電防止や電解質膜等の劣化防止のため燃料電池に残った燃料ガスおよび酸化剤ガスを消費させて電位を下げる必要がある。このため従来の燃料電池システムでは、放電抵抗を燃料電池のプラス極およびマイナス極と並列に接続して、燃料電池が停止した後に発生する余電力を消費するようにしていた（例えば、特許文献１参照）。
【０００５】
また燃料電池を収納する燃料電池ケースには、微量に水素（燃料ガス）が漏れてしまった場合にこの水素を外気で希釈して所定濃度以下にして排出するための換気ファンを備えているが、従来の燃料電池システムでは、燃料電池の運転停止後に燃料電池ケースの換気を行う場合に、燃料電池システムに備えられた二次電池（バッテリー等）から換気ファンに電力を供給して換気を行っていた。
【特許文献１】特開２００４−２９６３４０号公報（第６頁、図２）
【発明の開示】
【発明が解決しようとする課題】
【０００６】
しかし従来の燃料電池システムでは（例えば、特許文献１参照）、燃料電池が停止した後に発生する余電力を放電抵抗によって熱として捨ててしまうため、エネルギー効率が低下してしまうという問題点があった。また放電抵抗が常時接続されているため、常に放電抵抗で電力が消費され、全体としての出力が低下するという問題点があった。
【０００７】
さらに、燃料電池の運転停止後に燃料電池ケースを換気するときに、二次電池から換気ファンに電力を供給するため、全体としてのエネルギー効率が低下するという問題点があった。
【０００８】
本発明は、上記のような問題点を鑑みてなされたものであり、燃料電池が停止した後の余電力を有効に活用することができ、エネルギー効率の高い燃料電池システムを提供することを目的とする。
【課題を解決するための手段】
【０００９】
本発明に係る燃料電池システムは、燃料ガスと酸化剤ガスを反応させて発電を行う燃料電池と、この燃料電池を収納する燃料電池ケースと、この燃料電池ケースの内部を換気する換気ファンと、前記燃料電池に接続されたリレーを有するジャンクションボックスと、を備え、前記燃料電池が停止して、前記ジャンクションボックスのリレーが切断された後に、前記燃料電池に残った前記燃料ガスおよび前記酸化剤ガスで発電された電力によって、前記換気ファンを駆動して前記燃料電池ケースの内部を換気することを特徴とするものである。
【発明の効果】
【００１０】
本発明に係る燃料電池システムは、燃料電池が停止して、ジャンクションボックスのリレーが切断された後に、燃料電池に残った燃料ガスおよび酸化剤ガスで発電された電力によって、換気ファンを駆動して燃料電池ケースの内部を換気するため、燃料電池停止後の余電力を有効に活用することができ、エネルギー効率を向上させることができる。また、換気ファンに放電抵抗の機能を持たせるため、放電抵抗が必要なく、システムの小型化と出力性能の向上が可能となる。
【発明を実施するための最良の形態】
【００１１】
（実施形態１）
以下、図面を参照しながら本発明の実施形態１に係る燃料電池システムについて説明する。
【００１２】
図１は、本発明の実施形態１に係る燃料電池システムの構成を示したシステム構成図である。本発明の実施形態１に係る燃料電池システム１は、燃料ガスと酸化剤ガスを反応させて発電を行う燃料電池２と、この燃料電池２を収納する燃料電池ケース３を備えている。燃料電池２は、例えば固体高分子電解質膜を燃料極と酸化剤極で挟んで形成される単位セル（図示せず）を複数積層したスタック構造を有しており、燃料ガスとして水素が供給され、酸化剤ガスとして空気が供給される。燃料電池２に燃料ガスとして供給された水素は、燃料極において触媒反応により水素イオンとなり固体高分子電解質膜を通過して空気極まで移動し、空気極に移動した水素イオンが酸化剤ガス（空気）中の酸素と電気化学反応を起こすことにより、燃料電池２において発電が行われる。燃料電池ケース３は、燃料電池２から微量の水素が漏れてしまった場合に安全を確保するため、燃料電池２を密閉状態で収納している。
【００１３】
燃料電池２は、ジャンクションボックス５に設けられたリレー５ａ、５ｂと電気的に接続されており、リレー５ａ、５ｂが燃料電池２から供給される電力の流れをオン・オフできるようになっている。なおリレー５ａ、５ｂは、一方が燃料電池２の正極に接続され、他方が燃料電池２の負極に接続されているものとする。
【００１４】
ジャンクションボックス５のリレー５ａ、５ｂにはコンバータ（電力変換装置）６が電気的に接続されており、モータ１５、１６側または二次電池７側へ電力の流れを切り換えたり、電圧の昇降を行うようになっている。またコンバータ６には、二次電池７のリレー７ａ、７ｂが接続されており、燃料電池７で発電された電力のうちモータ１５、１６等で消費されずに余ったものを二次電池７が蓄電するようになっている。なお本明細書において、単に接続されているという場合には、燃料電池２の正極側と負極側の両方に電気的に接続されている状態をいうものとする。
【００１５】
さらにコンバータ６には、インバータ１０、１１、ＤＣ／ＤＣコンバータ１２、１３が接続されており、インバータ１０、１１にはそれぞれモータ１５、１６が接続されている。インバータ１０、１１は、コンバータ６を介して燃料電池２から供給される電力を例えば高周波の三相交流にしてモータ１５、１６に供給する。ＤＣ／ＤＣコンバータ１２、１３は、コンバータ６を介して燃料電池２から供給される電力の電圧を変換して補機類（図示せず）に供給する。例えば燃料電池システム１が燃料電池車両に搭載されている場合には、モータ１５、１６によって車輪を駆動し、ＤＣ／ＤＣコンバータ１２、１３を介してエアコン等の補機類に電力を供給する。
【００１６】
本実施形態では、燃料電池２とジャンクションボックス５のリレー５ａ、５ｂとの間に燃料電池ケース３を換気する換気ファン１８が燃料電池２に対して並列に接続されている。換気ファン１８は、例えば電動モータで駆動されるものであり、燃料電池２から燃料電池ケース３内部に漏れた微量の水素を外気で希釈して排出する機能を有する。
【００１７】
本実施形態において換気ファン１８は、燃料電池２が運転中（通常の発電中）にも燃料電池２から電力の供給を受けて燃料電池ケース３内部の換気を行うが、燃料電池２が停止して、ジャンクションボックス５のリレー５ａ、５ｂが切断された後にも、燃料電池２に残った燃料ガスおよび酸化剤ガスで発電された電力（余電力）によって燃料電池ケース３内部の換気を行う。なおここで燃料電池２が停止しているとは、モータ１５、１６、補機類、または二次電池７に供給するための発電が停止していることであり、燃料電池システム１に設けられた燃料タンク（図示せず）やコンプレッサ（図示せず）等から燃料電池２への燃料ガスおよび酸化剤ガスの供給が停止している状態をいうものとする。
【００１８】
従来の燃料電池システムでは、換気ファン１８の代わりに放電抵抗が接続されていたため、燃料電池２が停止した後に発生する余電力を放電抵抗によって熱として消費おり、また放電抵抗が常時接続されているため、常に放電抵抗で電力が消費され、全体としての出力が低下していた。さらに、燃料電池２の運転停止後に燃料電池ケース３を換気するときに、二次電池７からＤＣ／ＤＣコンバータ１２、１３等に接続された換気ファンに電力を供給していたため、全体としてのエネルギー効率が低下していた。
【００１９】
本実施形態に係る燃料電池システム１では、燃料電池２とジャンクションボックス５のリレー５ａ、５ｂとの間に接続された換気ファン１８によって、燃料電池２が停止してから、ジャンクションボックス５のリレー５ａ、５ｂが切断された後に、燃料電池２に残った燃料ガスおよび酸化剤ガスで発電された電力によって、換気ファン１８を駆動して燃料電池ケース３の内部を換気するため、二次電池７からの電力の供給が必要なく、燃料電池２が停止後の余電力を有効に活用することができるため、エネルギー効率を向上させることができる。また燃料電池２とジャンクションボックス５のリレー５ａ、５ｂとの間に換気ファン１８を接続しているため、燃料電池２が停止した後に発生する余電力を換気ファン１８が消費し、放電抵抗を接続する必要なくなる。このため、燃料電池２の運転中に無駄な電力が消費されることがなく、また燃料電池システムを小型化することが可能となる。
【００２０】
（実施形態２）
図２は、本発明の実施形態２に係る燃料電池システムの構成を示したシステム構成図である。なお本実施形態に係る燃料電池システム１は、以下に示す点を除いて実施形態１に係る燃料電池システム１と同様であり、同じ構成要素には同じ符号を付して説明する。
【００２１】
本実施形態に係る燃料電池システム１では、燃料電池２とジャンクションボックス５のリレー５ａ、５ｂとの間に燃料電池ケース３を換気する２つの換気ファン１８、１９が直列に接続されている。なお、換気ファンを燃料電池２とジャンクションボックス５のリレー５ａ、５ｂとの間に３つ以上直列に接続するようにしてもよい。
【００２２】
本実施形態では実施形態１と同様に、燃料電池２が運転中にも燃料電池２から電力の供給を受けて燃料電池ケース３内部の換気を行うが、燃料電池２が停止して、ジャンクションボックス５のリレー５ａ、５ｂが切断された後にも、燃料電池２に残った燃料ガスおよび酸化剤ガスで発電された電力（余電力）によって燃料電池ケース３内部の換気を行う。
【００２３】
本実施形態に係る燃料電池システム１では、複数の換気ファン１８、１９を燃料電池２とジャンクションボックス５のリレー５ａ、５ｂとの間に直列に接続しているため、一つ当たりの換気ファンにかかる電圧を低く抑えることができる。このため、小型の汎用モータを用いた換気ファンを使用することができ、製造コストを低く抑えることが可能となる。その他の効果については、実施形態１に係る燃料電池システム１と同様である。
【００２４】
（実施形態３）
図３は、本発明の実施形態３に係る燃料電池システムの構成を示したシステム構成図である。なお本実施形態に係る燃料電池システム１は、以下に示す点を除いて実施形態１に係る燃料電池システム１と同様であり、同じ構成要素には同じ符号を付して説明する。
【００２５】
本実施形態に係る燃料電池システム１では、換気ファン１８が燃料電池２とジャンクションボックス５のリレー５ａ、５ｂとの間ではなく、コンバータ６に接続されている。なお図３において、ＤＣ／ＤＣコンバータ１３は図示していない。また図３では、換気ファン１８が燃料電池ケース３から離れた位置に描かれているが、換気ファン１８は例えば燃料電池ケース３の内部や外箱などに設置されているものとする。
【００２６】
さらに本実施形態に係る燃料電池システム１は、燃料電池２とジャンクションボックス５のリレー５ａ、５ｂとの間から分岐し、燃料電池２と換気ファン１８を接続するバイパス回路２０と、バイパス回路２０の途中に設けられたリレー２１、２２を備えている。
【００２７】
本実施形態では、燃料電池２の運転中はコンバータ６を経由して換気ファン１８に電力を供給して、燃料電池ケース３内部の換気を行う。この際コンバータ６は、換気ファン１８に供給する電力の電圧制御と、換気ファン２に燃料電池２から電力を供給するかまたは二次電池７から供給するかの切り換えを行う。
【００２８】
また燃料電池２が停止して、ジャンクションボックス５のリレー５ａ、５ｂが切断された後は、バイパス回路２０の途中に設けられたリレー２１、２２を切り換えることにより、バイパス回路２０を経由して燃料電池２から換気ファン１８に電力が供給される。この際換気ファン１８は、燃料電池２に残った燃料ガスおよび酸化剤ガスで発電された電力（余電力）によって燃料電池ケース３内部の換気を行う。
【００２９】
本実施形態に係る燃料電池システム１では、燃料電池２の運転中に換気ファン１８に供給される電力の電圧制御および燃料電池２、二次電池７のどちらから電力を供給するかを切り換えることができるため、燃料電池システム１の出力性能を向上させることができる。その他の効果については、実施形態１に係る燃料電池システム１と同様である。
【００３０】
（実施形態４）
図４は、本発明の実施形態４に係る燃料電池システムの構成を示したシステム構成図である。なお本実施形態に係る燃料電池システム１は、以下に示す点を除いて実施形態３に係る燃料電池システム１と同様であり、同じ構成要素には同じ符号を付して説明する。
【００３１】
本実施形態４に係る燃料電池システム１では、コンバータ６に燃料電池ケース３を換気する２つの換気ファン１８、１９が直列に接続されている。なおコンバータ６に、燃料電池ケース３を換気する換気ファンを３つ以上直列に接続するようにしてもよい。
【００３２】
本実施形態に係る燃料電池システム１では、複数の換気ファン１８、１９をコンバータ６に直列に接続しているため、一つ当たりの換気ファンにかかる電圧を低く抑えることができる。このため、小型の汎用モータを用いた換気ファンを使用することができ、製造コストを低く抑えることが可能となる。その他の効果については、実施形態３に係る燃料電池システム１と同様である。
【００３３】
（実施形態５）
図５は、本発明の実施形態５に係る燃料電池システムの構成を示したシステム構成図である。なお本実施形態に係る燃料電池システム１は、以下に示す点を除いて実施形態１に係る燃料電池システム１と同様であり、同じ構成要素には同じ符号を付して説明する。
【００３４】
本実施形態に係る燃料電池システム１では、換気ファン１８が燃料電池２とジャンクションボックス５のリレー５ａ、５ｂとの間ではなく、ＤＣ／ＤＣコンバータ１３に接続されている。結果的に換気ファン１８は、コンバータ６、ＤＣ／ＤＣコンバータ１３を介して燃料電池２と接続されている。なお図５では、換気ファン１８が燃料電池ケース３から離れた位置に描かれているが、換気ファン１８は例えば燃料電池ケース３の内部や外箱などに設置されているものとする。
【００３５】
また本実施形態に係る燃料電池システム１は、燃料電池２とジャンクションボックス５のリレー５ａ、５ｂとの間から分岐し、燃料電池２とＤＣ／ＤＣコンバータ１３を接続するバイパス回路２０と、バイパス回路２０の途中に設けられたリレー２１、２２を備えている。
【００３６】
本実施形態では、燃料電池２の運転中はコンバータ６およびＤＣ／ＤＣコンバータ１３を経由して換気ファン１８に電力を供給して、燃料電池ケース３内部の換気を行う。この際コンバータ６は、換気ファン１８に供給する電力の電圧制御と、換気ファン２に燃料電池２から電力を供給するかまたは二次電池７から供給するかの切り換えを行い、ＤＣ／ＤＣコンバータ１３は、換気ファン１８に供給する電力の電圧を低く制御する。
【００３７】
また燃料電池２が停止して、ジャンクションボックス５のリレー５ａ、５ｂが切断された後は、バイパス回路２０の途中に設けられたリレー２１、２２を切り換えることにより、バイパス回路２０およびＤＣ／ＤＣコンバータ１３を経由して燃料電池２から換気ファン１８に電力が供給される。この際換気ファン１８は、燃料電池２に残った燃料ガスおよび酸化剤ガスで発電された電力（余電力）によって燃料電池ケース３内部の換気を行う。
【００３８】
本実施形態に係る燃料電池システム１では、燃料電池２の運転中に換気ファン１８に供給される電力の電圧制御および燃料電池２、二次電池７のどちらから電力を供給するかを切り換えることができるため、燃料電池システム１の出力性能を向上させることができる。またＤＣ／ＤＣコンバータ１３によって換気ファン１８にかかる電圧を低く抑えることができるため、小型の汎用モータを用いた換気ファンを使用することができ、製造コストを低く抑えることが可能となる。その他の効果については、実施形態１に係る燃料電池システム１と同様である。
【００３９】
（実施形態６）
図６は、本発明の実施形態６に係る燃料電池システムの構成を示したシステム構成図である。なお本実施形態に係る燃料電池システム１は、以下に示す点を除いて実施形態５に係る燃料電池システム１と同様であり、同じ構成要素には同じ符号を付して説明する。
【００４０】
本実施形態に係る燃料電池システム１では、バイパス回路２０に放電抵抗２４が並列に接続されている。このため放電抵抗２４は、燃料電池２が停止して、ジャンクションボックス５のリレー５ａ、５ｂが切断された後に換気ファン１８とともに放電を行う。
【００４１】
本実施形態に係る燃料電池システム１では、放電抵抗２４において低電圧で放電を行うことによりＤＣ／ＤＣコンバータ１３で使用される電圧範囲を狭く設定することができ、ＤＣ／ＤＣコンバータ１３の小型化とコストの低減が可能となる。また放電抵抗２４は従来のものに比べて小さなものでよいため、燃料電池システム１の小型化が可能となる。
【００４２】
（実施形態７）
図７は、本発明の実施形態７に係る燃料電池システムの構成を示したシステム構成図である。なお本実施形態に係る燃料電池システム１は、以下に示す点を除いて実施形態１に係る燃料電池システム１と同様であり、同じ構成要素には同じ符号を付して説明する。
【００４３】
本実施形態に係る燃料電池システム１では、ＤＣ／ＤＣコンバータ１３の代わりにインバータ２５がコンバータ６に接続されている。また、換気ファン１８が燃料電池２とジャンクションボックス５のリレー５ａ、５ｂとの間ではなく、インバータ２５に接続されている。結果的に換気ファン１８は、コンバータ６、インバータ２５を介して燃料電池２と接続されている。なお図７では、換気ファン１８が燃料電池ケース３から離れた位置に描かれているが、換気ファン１８は例えば燃料電池ケース３の内部や外箱などに設置されているものとする。
【００４４】
また本実施形態に係る燃料電池システム１は、燃料電池２とジャンクションボックス５のリレー５ａ、５ｂとの間から分岐し、燃料電池２とインバータ２５を接続するバイパス回路２０と、バイパス回路２０の途中に設けられたリレー２１、２２を備えている。
【００４５】
本実施形態では、燃料電池２の運転中はコンバータ６およびインバータ２５を経由して換気ファン１８に電力を供給して、燃料電池ケース３内部の換気を行う。この際コンバータ６は、換気ファン１８に供給する電力の電圧制御と、換気ファン２に燃料電池２から電力を供給するかまたは二次電池７から供給するかの切り換えを行う。
【００４６】
また燃料電池２が停止して、ジャンクションボックス５のリレー５ａ、５ｂが切断された後は、バイパス回路２０の途中に設けられたリレー２１、２２を切り換えることにより、バイパス回路２０およびインバータ２５を経由して燃料電池２から換気ファン１８に電力が供給される。この際換気ファン１８は、燃料電池２に残った燃料ガスおよび酸化剤ガスで発電された電力（余電力）によって燃料電池ケース３内部の換気を行う。
【００４７】
本実施形態に係る燃料電池システム１では、コンバータ６によって燃料電池２の運転中に換気ファン１８に供給される電力の電圧制御および燃料電池２、二次電池７のどちらから電力を供給するかを切り換えることができるため、燃料電池システム１の出力性能を向上させることができる。またインバータ２５を経由して換気ファン１８に電力を供給するため、効率のよい交流モータを使用することができ、燃料電池システム１の出力性能を向上させることが可能となる。その他の効果については、実施形態１に係る燃料電池システム１と同様である。
【００４８】
（実施形態８）
図８は、本発明の実施形態８に係る燃料電池システムの構成を示したシステム構成図である。なお本実施形態に係る燃料電池システム１は、以下に示す点を除いて実施形態７に係る燃料電池システム１と同様であり、同じ構成要素には同じ符号を付して説明する。
【００４９】
本実施形態に係る燃料電池システム１では、バイパス回路２０に放電抵抗２４が並列に接続されている。このため放電抵抗２４は、燃料電池２が停止して、ジャンクションボックス５のリレー５ａ、５ｂが切断された後に換気ファン１８とともに放電を行う。
【００５０】
本実施形態に係る燃料電池システム１では、放電抵抗２４において低電圧で放電を行うことによりインバータ２５で使用される電圧範囲を狭く設定することができ、インバータ２５の小型化とコストの低減が可能となる。また放電抵抗２４は従来のものに比べて小さなものでよいため、燃料電池システム１の小型化が可能となる。
【００５１】
なお、本発明は上記した実施形態に限定されるものではなく、その技術的思想の範囲内でなしうるさまざまな変更、改良が含まれることは言うまでもない。例えば、燃料電池システム１に備えられるインバータおよびＤＣ／ＤＣコンバータの数は任意であり、また燃料電池システム１のシステム構成は上記の実施形態に示したものに限定されない。
【図面の簡単な説明】
【００５２】
【図１】実施形態１に係る燃料電池システムの構成を示したシステム構成図である。
【図２】実施形態２に係る燃料電池システムの構成を示したシステム構成図である。
【図３】実施形態３に係る燃料電池システムの構成を示したシステム構成図である。
【図４】実施形態４に係る燃料電池システムの構成を示したシステム構成図である。
【図５】実施形態５に係る燃料電池システムの構成を示したシステム構成図である。
【図６】実施形態６に係る燃料電池システムの構成を示したシステム構成図である。
【図７】実施形態７に係る燃料電池システムの構成を示したシステム構成図である。
【図８】実施形態８に係る燃料電池システムの構成を示したシステム構成図である。
【符号の説明】
【００５３】
１      燃料電池システム
２      燃料電池
３      燃料電池ケース
５      ジャンクションボックス
５ａ、５ｂ  リレー
６      コンバータ
７      二次電池
７ａ、７ｂ  リレー
１０、１１  インバータ
１２、１３、２５  ＤＣ／ＤＣコンバータ
１５、１６  モータ
１８、１９  換気ファン
２０    バイパス回路
２１、２２  リレー
２４、２６  放電抵抗
【図１】
2008066106.tif 000003
【図２】
2008066106.tif 000004
【図３】
2008066106.tif 000005
【図４】
2008066106.tif 000006
【図５】
2008066106.tif 000007
【図６】
2008066106.tif 000008
【図７】
2008066106.tif 000009
【図８】
2008066106.tif 000010